(57)【特許請求の範囲】
【請求項１】
構築物の立壁状物の上方をこの立壁状物の厚さ方向に横断する横断部と、この横断部よりも上方へ延びる長さを有する上方延出部と、前記横断部よりも下方へ延びる長さを有し、前記立壁状物の厚さ方向両側の面のうち、一方の面と対面する第１下方延出部と、前記横断部よりも下方へ延びる長さを有し、前記立壁状物の厚さ方向両側の面のうち、他方の面と対面する第２下方延出部と、を含んで構成され、
前記上方延出部に、前記立壁状物の長手方向へ延びる長さを有する手摺り用部材を取り付けるための取付部が設けられ、前記横断部に、前記立壁状物の上面に当接する第１当接部材が設けられ、前記第１下方延出部に、前記立壁状物の前記一方の面に当接する第２当接部材が設けられているとともに、前記第２下方延出部に、前記立壁状物の前記他方の面を押圧する押圧部材が設けられているスタンションにおいて、
前記押圧部材として、前記第２当接部材から前記立壁状物の厚さ方向に離れた位置に配置されていて、前記立壁状物の長手方向と上下方向の位置が前記第２当接部材と同じ位置又は略同じ位置となって配置されている１個の第１押圧部材と、前記立壁状物の前記他方の面と平行をなす面内において、前記第１押圧部材を中心とする対称位置に配置された２個の第２押圧部材とがあり、
前記第１押圧部材は、前記立壁状物に向かって水平に延びている雄ねじ棒の先端部に取り付けられているとともに、前記雄ねじ棒には、この雄ねじ棒と直角に交差した交差部材が配置され、この交差部材は、前記雄ねじ棒が貫通した貫通部と、この貫通部における前記雄ねじ棒と直角方向の互いに反対側の箇所に基部が結合されている２個のアーム部とを有し、これらのアーム部の先部は、前記立壁状物の側へ屈曲した屈曲部となっており、これらの屈曲部の先端部に前記２個の第２押圧部材が取り付けられており、
回転操作されることにより前記立壁状物に向かって進退する前記雄ねじ棒と、前記貫通部において、前記雄ねじ棒に沿って移動自在となっている前記交差部材とが、前記立壁状物に向かって選択的に進退可能となっていることにより、前記雄ねじ棒に取り付けられている前記第１押圧部材と、前記交差部材の前記２個のアーム部に取り付けられている前記２個の第２押圧部材とが、前記立壁状物に向かって選択的に進退可能となっており、
前記雄ねじ棒には、前記貫通部の前後において、前記雄ねじ棒の長さ方向における前記交差部材及び前記２個の第２押圧部材の位置を固定するための２個のナットが螺合されていることを特徴とするスタンション。
【請求項２】
請求項１に記載のスタンションにおいて、前記雄ねじ棒には、この雄ねじ棒における前記第１押圧部材が取り付けられている前記先端部とは反対側の端部において、前記雄ねじ棒を回転操作するための回転操作部が設けられていることを特徴とするスタンション。
【請求項３】
請求項１又は２に記載のスタンションにおいて、前記貫通部には前記雄ねじ棒が、この雄ねじ棒を中心に前記貫通部が回転自在となって貫通しており、前記交差部材及び前記２個の第２押圧部材は、前記雄ねじ棒を中心とする前記貫通部の回転によって前記雄ねじ棒を中心に回転することを特徴とするスタンション。
【請求項４】
請求項１〜３のいずれかに記載のスタンションにおいて、前記雄ねじ棒は、前記第２下方延出部に設けられている雌ねじ孔に螺入され、この雌ねじ孔から前記雄ねじ棒が前記立壁状物に向かって水平に延びていることを特徴とするスタンション。
【請求項５】
請求項４に記載のスタンションにおいて、前記横断部の外周には、前記第２下方延出部が下方へ延出している嵌合部材が嵌合され、前記横断部における前記嵌合部材の位置は、この横断部の長さ方向に段階的に粗調整可能となっており、前記雄ねじ棒の回転操作によってこの雄ねじ棒を進退させることができる最大の距離は、前記横断部における前記嵌合部材の位置が１段階の前記粗調整により変更される距離よりも長くなっていることを特徴とするスタンション。
【請求項６】
請求項１〜５のいずれかに記載のスタンションにおいて、前記上方延出部の前記取付部に前記手摺り用部材を取り付けて作業が行われる作業対象領域は、前記立壁状物の前記他方の面から、この立壁状物の前記一方の面の側とは反対側の領域となっており、前記第２下方延出部の真上又は略真上に前記上方延出部が配置されていることを特徴とするスタンション。
【発明の詳細な説明】
【技術分野】
【０００１】
本発明は、建物等の構築物に設けられるパラペット等の立壁状物に仮設の手摺り用支柱として固定されるスタンションに係り、構築物の修復作業等を行う際に利用できるものである。
【背景技術】
【０００２】
構築物である建物の立壁状物となっているパラペットには、この建物の修復作業等を行う際に、作業の安全性確保等のために、仮設の手摺り用支柱であるスタンションが固定され、パラペットの長手方向に間隔をあけて複数個配置されたスタンションに、パラペットの長手方向へ延びるパイプ材や親綱等による手摺り用部材が架け渡される。
【０００３】
このようなスタンションは、下記の特許文献１，２に示されているように、パラペットの上方をこのパラペットの厚さ方向に横断する横断部と、この横断部よりも上方へ延びる長さを有する上方延出部と、横断部よりも下方へ延びる長さを有し、パラペットの厚さ方向両側の面のうち、一方の面と対面する第１下方延出部と、横断部よりも下方へ延びる長さを有し、パラペットの厚さ方向両側の面のうち、他方の面と対面する第２下方延出部と、を含んで構成されたものとなっており、上方延出部に、パラペットの長手方向へ延びる長さを有する手摺り用部材を取り付けるための取付部が設けられ、横断部に、パラペットの上面に当接する第１当接部材が設けられ、第１下方延出部に、パラペットの前記一方の面に当接する第２当接部材が設けられるとともに、前記第２下方延出部に、パラペットの前記他方の面を押圧する押圧部材が設けられ、この押圧部材と第２当接部材とでパラペットを挟圧することにより、スタンションがパラペットに固定される。
【０００４】
また、特許文献２に示されているスタンションでは、押圧部材の個数が２個となっているため、これらの押圧部材を交互に用いることにより、パラペットの前記他方の面を押圧する押圧部材を交換できるようになっており、このため、押圧部材によって押圧される箇所についても塗装作業等のメンテナンス作業を行えるようになっている。
【先行技術文献】
【特許文献】
【０００５】
【特許文献１】実用新案登録第３１８０６９６号公報
【特許文献２】実用新案登録第３１８６８６４号公報
【発明の概要】
【発明が解決しようとする課題】
【０００６】
しかし、特許文献２に示されているように、押圧部材の個数を、交互に使用されて交換される複数個とし、第１下方延出部に設けられている第２当接部材と共にパラペットを挟圧する押圧部材を、交互に使用して交換した場合には、交換前と交換後では、押圧部材による押圧箇所の位置がずれることになり、パラペットを押圧部材と第２当接部材とで安定して挟圧できるようにするためには、片寄りのない荷重によりパラペットを安定して挟圧できるようにすることが求められる。
【０００７】
本発明の目的は、パラペット等の立壁状物を押圧する押圧部材が交換可能に複数個設けられていても、交換前と交換後の両方において、立壁状物を押圧部材と当接部材により片寄りのない荷重で安定して挟圧できるようになるスタンションを提供するところにある。
【課題を解決するための手段】
【０００８】
本発明に係るスタンションは、構築物の立壁状物の上方をこの立壁状物の厚さ方向に横断する横断部と、この横断部よりも上方へ延びる長さを有する上方延出部と、前記横断部よりも下方へ延びる長さを有し、前記立壁状物の厚さ方向両側の面のうち、一方の面と対面する第１下方延出部と、前記横断部よりも下方へ延びる長さを有し、前記立壁状物の厚さ方向両側の面のうち、他方の面と対面する第２下方延出部と、を含んで構成され、前記上方延出部に、前記立壁状物の長手方向へ延びる長さを有する手摺り用部材を取り付けるための取付部が設けられ、前記横断部に、前記立壁状物の上面に当接する第１当接部材が設けられ、前記第１下方延出部に、前記立壁状物の前記一方の面に当接する第２当接部材が設けられているとともに、前記第２下方延出部に、前記立壁状物の前記他方の面を押圧する押圧部材が設けられているスタンションにおいて、前記押圧部材として、前記第２当接部材から前記立壁状物の厚さ方向に離れた位置に配置されていて、前記立壁状物の長手方向と上下方向の位置が前記第２当接部材と同じ位置又は略同じ位置となって配置されている１個の第１押圧部材と、前記立壁状物の前記他方の面と平行をなす面内において、前記第１押圧部材を中心とする対称位置に配置された２個の第２押圧部材とがあり、前記１個の第１押圧部材と前記２個の第２押圧部材は、前記立壁状物に向かって選択的に進退可能となっていることを特徴とするものである。
【０００９】
本発明に係るスタンションでは、１個の第１押圧部材と２個の第２押圧部材は、立壁状物に向かって選択的に進退可能となっているため、これらの押圧部材を交換して立壁状物の前記他方の面を押圧することができ、これにより、押圧部材で押圧される箇所についても塗装作業等のメンテナンス作業を実施することができる。
【００１０】
また、１個の第１押圧部材は、第２当接部材から立壁状物の厚さ方向に離れた位置に配置されていて、立壁状物の長手方向と上下方向の位置が第２当接部材と同じ位置又は略同じ位置となって配置されているため、第１押圧部材と第２当接部材とにより立壁状物を挟圧したときに、立壁状物を片寄りのない荷重により安定して挟圧することができる。また、１個の第１押圧部材の次に２個の第２押圧部材を立壁状物の前記他方の面に押圧させ、これらの第２押圧部材と第２当接部材とにより立壁状物を挟圧したときには、２個の第２押圧部材は、立壁状物の前記他方の面と平行をなす面内において、第１押圧部材を中心とする対称位置に配置されているため、２個の第２押圧部材と第２当接部材とにより立壁状物を挟圧したときでも、立壁状物を片寄りのない荷重により安定して挟圧することができる。
【００１１】
本発明において、上述したように、１個の第１押圧部材と２個の第２押圧部材を、立壁状物に向かって選択的に進退可能とするためには、例えば、第１押圧部材を、第２下方延出部から立壁状物の側へ延びる長さを有する棒状部材の先端部に取り付け、２個の第２押圧部材を、棒状部材に直角に交差配置されている交差部材の両端部に取り付け、棒状部材を、第２下方延出部に対し立壁状物に向かって進退可能とし、交差部材を、棒状部材に対し立壁状物に向かって進退可能とすればよい。
【００１２】
また、このように第１押圧部材を、第２下方延出部から立壁状物の側へ延びる長さを有する棒状部材の先端部に取り付け、２個の第２押圧部材を、棒状部材に直角に交差配置されている交差部材の両端部に取り付け、棒状部材を、第２下方延出部に対し立壁状物に向かって進退可能とし、交差部材を、棒状部材に対し立壁状物に向かって進退可能とする場合には、交差部材を、棒状部材を中心に回転可能としてもよい。
【００１３】
これによると、棒状部材を中心とする交差部材の回転により、１個の第１押圧部材に対する２個の第２押圧部材の配置位置を、立壁状物の長手方向である左右方向や、上下方向、さらには、これらの方向に対して傾いた傾斜方向に任意に設定できるようになり、前述のメンテナンス作業等に適切に対応した位置に２個の第２押圧部材を配置できるようになる。
【００１４】
そして、棒状部材を、第２下方延出部に対し立壁状物に向かって進退可能とするためには、例えば、棒状部材を雄ねじ棒とし、この雄ねじ棒を第２下方延出部に対し回転させることにより、棒状部材を第２下方延出部に対し立壁状物に向かって進退させることができるようにしてもよい。また、交差部材を、棒状部材に対し立壁状物に向かって進退可能とするためには、交差部材に、雄ねじ棒が貫通した貫通部を設け、この貫通部を雄ねじ棒に沿って移動させることにより、交差部材を棒状部材に対し立壁状物に向かって進退させることができるようにしてもよい。さらに、貫通部の前後において、雄ねじ棒にナットを螺合させておき、貫通部を雄ねじ棒に沿って移動させた後に、これらのナットで貫通部に締め付けることにより、交差部材を雄ねじ棒に移動不能に固定できるようにしてもよい。
【００１５】
また、前述したように棒状部材に直角に交差配置されている交差部材の両端部に２個の第２押圧部材を取り付け、これらの第２押圧部材により立壁状物の前記他方の面を押圧できるようにするためには、交差部材の両端部を、立壁状物の側へ屈曲した屈曲部とし、これらの屈曲部の先端部に２個の第２押圧部材を取り付けるようにしてもよい。
【００１６】
以上説明した本発明において、前記上方延出部と前記第２下方延出部は、前記横断部の長さ方向における任意の位置関係として配置することができる。
【００１７】
その一例は、上方延出部に設けられている前記取付部に前記手摺り用部材を取り付けて作業が行われる作業対象領域が、立壁状物の前記他方の面から、この立壁状物の前記一方の面の側とは反対側の領域となっている場合において、第２下方延出部の真上又は略真上に前記上方延出部を配置することである。
【００１８】
これによると、上方延出部の前記取付部に取り付けられた手摺り用部材は、立壁状物の前記他方の面に対し、この立壁状物の前記一方の面とは反対側の箇所に配置されるため、立壁状物の手前となっている作業領域において、安全性を確保してメンテナンス作業等の作業を実施できる。
【００１９】
また、このように第２下方延出部の真上又は略真上に上方延出部を配置する場合には、前記横断部の外周に嵌合部材を嵌合し、この嵌合部材から第２下方延出部を下方へ延出するとともに、嵌合部材から上方延出部を上方へ延出し、横断部における嵌合部材の位置を、この横断部の長さ方向に調整可能としてよい。
【００２０】
これによると、常に第２下方延出部の真上又は略真上に上方延出部を配置しておくことができるとともに、横断部における嵌合部材の位置を、この横断部の長さ方向に調整することにより、厚さ寸法が異なる立壁状物に対処できるようになる。
【００２１】
以上説明した本発明に係るスタンションは、任意の立壁状物に適用することができ、この立壁状物は、建物のパラペットでよく、建物や鉄塔の梁でもよく、橋梁や橋桁等でもよい。したがって、本発明に係るスタンションが用いられる構築物は、建物でもよく、鉄塔や橋等でもよい。
【発明の効果】
【００２２】
本発明によると、パラペット等の立壁状物を押圧する押圧部材が交換可能に複数個設けられていても、交換前と交換後の両方において、立壁状物を押圧部材と当接部材により片寄りのない荷重で安定して挟圧できるという効果を得られる。
【図面の簡単な説明】
【００２３】
【図１】図１は、本発明の一実施形態に係るスタンションが、立壁状物となっている建物のパラペットに間隔をあけて複数個固定された状態を示す斜視図である。
【図２】図２は、スタンションの側面図である。
【図３】図３は、スタンションの正面図である。
【図４】図４は、スタンションの平面図である。
【図５】図５は、スタンションの底面図である。
【図６】図６は、第２下方延出部における１個の第１押圧部材と２個の第２押圧部材の配置箇所を示す斜視図である。
【図７】図７は、１個の第１押圧部材を前進させ、２個の第２押圧部材を後退させたときを示す底面図である。
【図８】図８は、１個の第１押圧部材を後退させ、２個の第２押圧部材を前進させたときを示す底面図である。
【発明を実施するための形態】
【００２４】
以下に本発明を実施するための形態を図面に基づいて説明する。図１には、構築物である建物の屋上１の縁部に、この建物の立壁状物となっているパラペット２が設けられ、このパラペット２に本実施形態に係るスタンション１０が間隔をあけて複数個固定されている状態が示されており、これらのスタンション１０には、パラペット２の長手方向へ延びる長さを有する手摺り用部材となっている手摺り用パイプ３が架け渡されている。
【００２５】
図２〜図５には、スタンション１０の側面図、正面図、平面図及び底面図が示されている。スタンション１０は、図１にも示されているように、パラペット２の上方をこのパラペット２の厚さ方向に横断する横断部１１と、この横断部１１よりも上方へ延びる長さを有する上方延出部１２と、横断部１１よりも下方へ延びる長さを有し、パラペット２の厚さ方向両側の面のうち、一方の面２Ａと対面する第１下方延出部１３と、横断部１１よりも下方へ延びる長さを有し、パラペット２の厚さ方向両側の面のうち、他方の面２Ｂと対面する第２下方延出部１４と、を含んで構成されたものとなっている。
【００２６】
これらの横断部１１、上方延出部１２、第１下方延出部１３及び第２下方延出部１４は、角パイプ材により形成されている。また、横断部１１の先端部に第１下方延出部１３が結合され、この結合は、図４に示されているように、横断部１１と第１下方延出部１３の両方を挟む一対のブラケット１５により行われている。また、パラペット２の上記一方の面２Ａは、パラペット２の外側表面であり、パラペット２の上記他方の面２Ｂは、パラペット２の内側表面であって、上述の屋上１の側の表面である。
【００２７】
図２及び図３に示されているように、上方延出部１２には、図１で示した手摺り用パイプ３を取り付けるための取付部１６が上下方向に複数個設けられ、これらの取付部１６は、ボルト、ナットで取り外し可能に上方延出部１２に結合されたクランプ１７である。また、上方延出部１２の頂部には、取付部１８を備えたキャップ部材１９がボルト、ナットで取り付けられ、この取付部１８は、手摺り用パイプ３と同様に、パラペット２の長手方向へ延びる長さを有する手摺り用部材となっている図外の親綱を取り付けることができる逆Ｕ字状部材２０となっている。
【００２８】
横断部１１には、第１当接部材２１がブラケット２２により下向きに取り付けられ、この第１当接部材２１は、図１から分かるように、パラペット２の上面２Ｃに当接する部材となっている。また、第１下方延出部１３には、第２当接部材２３がブラケット２４により第２下方延出部１４の側に向けて取り付けられ、この第２当接部材２３は、図１から理解できるように、パラペット２の上記一方の面２Ａに当接する部材となっている。
【００２９】
図２及び図３に示されているように、横断部１１の外周部には、短寸法の角パイプ材による嵌合部材２５が嵌合され、この嵌合部材２５は、パラペット２の厚さ方向である横断部１１の長さ方向に移動自在となっている。嵌合部材２５の上面からは上方延出部１２が上方へ立ち上がっており、この上方延出部１２は、嵌合部材２５に一対のブラケット２６で結合されている。また、嵌合部材２５の下面からは第２下方延出部１４が下方へ垂下しており、この第２下方延出部１４は、嵌合部材２５に１個のブラケット２７で結合されている。なお、上方延出部１２と第２下方延出部１４は、溶接によっても嵌合部材２５に接合されている。
【００３０】
このため、本実施形態では、上方延出部１２と第２下方延出部１４は、嵌合部材２５を介して連結されており、第２下方延出部１４の真上又は略真上に上方延出部１２が配置されている。
【００３１】
図３に示されているように、嵌合部材２５には、この嵌合部材２５と横断部１１を軸部が貫通しているボルト２８Ａが配置され、このボルト２８Ａの軸部の先端に螺合されたナット２８Ｂを締め付けることにより、嵌合部材２５は横断部１１に結合された状態となる。このため、ボルト２８Ａとナット２８Ｂにより、嵌合部材２５を横断部１１に結合された状態とするための結合具２８が構成されている。図２から分かるように、横断部１１には、ボルト２８Ａの軸部を挿通するための孔２９が横断部１１の長さ方向に複数個形成されており、このため、ボルト２８Ａの軸部を挿抜することにより、嵌合部材２５の位置を、言い換えると、第２下方延出部１４と上方延出部１２の位置を横断部１１の長さ方向に段階的に粗調整できるようになっている。
【００３２】
図６には、第２下方延出部１４の下端部の構造が示されており、この下端部には、棒状部材となっている雄ねじ棒３０が、パラペット２に向かって水平に貫通している。パラペット２の側へ延びる長さを有しているこの雄ねじ棒３０は、長寸法のボルトであるため、雄ねじ棒３０は、このボルトの頭部である回転操作部３０Ａを有し、この回転操作部３０Ａから水平方向に延びる軸部３０Ｂが、第２下方延出部１４の下端部に形成されている雌ねじ孔に螺入されており、第２下方延出部１４から突出した軸部３０Ｂの部分はパラペット２に向かって延出しているため、回転操作部３０Ａで雄ねじ棒３０を回転操作すると、雄ねじ棒３０は、第２下方延出部１４に対しパラペット２に向かって進退する。そして、雄ねじ棒３０の軸部３０Ｂにおける回転操作部３０Ａの側とは反対側の先端部には、１個の第１押圧部材３１が取り付けられている。
【００３３】
図５に示されているように、雄ねじ棒３０の軸部３０Ｂのうち、第２下方延出部１４からパラペット２に向かって突出している部分には、交差部材３２が軸部３０Ｂと直角に交差配置されている。この交差部材３２は、軸部３０Ｂが貫通している貫通部３２Ａと、この貫通部３２Ａにおける軸部３０Ｂと直角方向の互いに反対側の箇所に基部が結合されている２個のアーム部３２Ｂとを有し、これらのアーム部３２Ｂの先部は、パラペット２の側へ屈曲した屈曲部３２Ｃとなっており、これらの屈曲部３２Ｃの先端部に２個の第２押圧部材３３が取り付けられている。
【００３４】
このため、２個の第２押圧部材３３を含む交差部材３２は、雄ねじ棒３０の軸部３０Ｂが貫通している貫通部３２Ａにおいて、この軸部３０Ｂに対しパラペット２に向かって進退自在となっている。したがって、回転操作部３０Ａの回転操作によりパラペット２に向かって進退する雄ねじ棒３０に取り付けられている１個の第１押圧部材３１と、交差部材３２に２個取り付けられ、雄ねじ棒３０の軸部３０Ｂに沿って移動自在となっている第２押圧部材３３は、選択的にパラペット２に向かって進退させることができるものとなっている。
【００３５】
雄ねじ棒３０の軸部３０Ｂには、交差部材３２の貫通部３２Ａの前後において、ロックナット３４と蝶ナット３５が螺合されている。このため、２個の第２押圧部材３３を含む交差部材３２を、雄ねじ棒３０の軸部３０Ｂの長さ方向に移動させた後に、これらのロックナット３４と蝶ナット３５を回転操作して貫通部３２Ａに締め付けることにより、２個の第２押圧部材３３を含む交差部材３２は、軸部３０Ｂの長さ方向の任意の位置で固定される。
【００３６】
以上において、雄ねじ棒３０の軸部３０Ｂの先端部に設けられている１個の第１押圧部材３１の配置位置は、図２等で示されている第１下方延出部１３に設けられた第２当接部材２３からパラペット２の厚さ方向に離れた位置であり、そして、図１で示されているパラペット２の長手方向と上下方向における第１押圧部材３１の配置位置は、図３に示されているように、第２当接部材２３と同じ位置又は略同じ位置となっている。
【００３７】
また、交差部材３２に２個設けられているアーム部３２Ｂのそれぞれについての雄ねじ棒３０の軸部３０Ｂからの長さ寸法は、同じ又は略同じになっており、また、これらのアーム部３２Ｂのそれぞれに設けられている前述の屈曲部３２Ｃについてのパラペット２の側への屈曲長さ寸法は、同じ又は略同じになっているため、交差部材３２の両端部に取り付けられている２個の第２押圧部材３３は、図１で示したパラペット２の前記他方の面となっている内側表面２Ｂと平行をなす面内において、第１押圧部材３１を中心とする対称位置に配置されていることになる。
【００３８】
図７には、回転操作部３０Ａの正回転操作により雄ねじ棒３０の軸部３０Ｂをパラペット２に向かって前進させることにより、１個の第１押圧部材３１をパラペット２の内側表面２Ｂに当接させるとともに、交差部材３２を雄ねじ棒３０の軸部３０Ｂに沿ってパラペット２から後退させることにより、２個の第２押圧部材３３をパラペット２の内側表面２Ｂから離間させた状態が示されている。
【００３９】
このときには、前述した横断部１１に設けられている第１当接部材２１は、パラペット２の上面２Ｃに当接し、前述した第１下方延出部１３に設けられている第２当接部材２３は、図１で示したパラペット２の前記一方の面となっている外側表面２Ａに当接している。
【００４０】
このため、回転操作部３０Ａの正回転操作により、１個の第１押圧部材３１をパラペット２の内側表面２Ｂに当接させて、この内側表面２Ｂを第１押圧部材３１が押圧すると、第２当接部材２３と第１押圧部材３１とでパラペット２が挟圧され、これにより、本実施形態に係るスタンション１０はパラペット２に固定される。
【００４１】
図８には、回転操作部３０Ａの逆回転操作により雄ねじ棒３０の軸部３０Ｂをパラペット２から後退させることにより、１個の第１押圧部材３１をパラペット２の内側表面２Ｂから離間させるとともに、交差部材３２を雄ねじ棒３０の軸部３０Ｂに沿ってパラペット２に向かって前進させることにより、２個の第２押圧部材３３をパラペット２の内側表面２Ｂに当接させた状態が示されている。
【００４２】
このときにも、横断部１１に設けられている第１当接部材２１は、パラペット２の上面２Ｃに当接し、第１下方延出部１３に設けられている第２当接部材２３は、パラペット２の外側表面２Ａに当接している。
【００４３】
このため、上述のように交差部材３２を雄ねじ棒３０の軸部３０Ｂに沿ってパラペット２に向かって前進させることにより、２個の第２押圧部材３３をパラペット２の内側表面２Ｂに当接させて、これらの第２押圧部材３３が内側表面２Ｂを押圧すると、第２当接部材２３と２個の第２押圧部材３３とでパラペット２が挟圧されることになり、これによっても本実施形態に係るスタンション１０はパラペット２に固定される。
【００４４】
このため、本実施形態では、１個の第１押圧部材３１と、２個の第２押圧部材３３は、交互に交換されてパラペット２の内側表面２Ｂを押圧できるようになっており、これにより、図１に示されているように、パラペット２に複数個が間隔をあけて固定されたスタンション１０に手摺り用パイプ３の手摺り用部材を架け渡して、例えば、パラペット２の内側表面２Ｂをメンテナンス作業として塗装する際に、第２押圧部材３３で押圧される箇所についての塗装作業は、図７で示されているように、第１押圧部材３１がパラペット２の内側表面２Ｂを押圧しているときに行え、第１押圧部材３１で押圧される箇所についての塗装作業は、図８に示されているように、第２押圧部材３３がパラペット２の内側表面２Ｂを押圧しているときに行える。
【００４５】
また、交差部材３２の前後において雄ねじ棒３０の軸部３０Ｂに螺合されている２個のナット３４，３５のうち、２個の第２押圧部材３３をパラペット２の内側表面２Ｂに押圧するためのナットは、作業者が大きな押し力で交差部材３２を前進させることができる蝶ナット３５となっているため、２個の第２押圧部材３３をパラペット２の内側表面２Ｂに押圧することは、大きな押し付け力により行うことができる。
【００４６】
特に本実施形態では、前述したように、雄ねじ棒３０の軸部３０Ｂの先端部に設けられている１個の第１押圧部材３１の配置位置は、第１下方延出部１３に設けられた第２当接部材２３からパラペット２の厚さ方向に離れた位置であり、そして、パラペット２の長手方向と上下方向における第１押圧部材３１の配置位置は、第２当接部材２３と同じ位置又は略同じ位置となっているため、これらの第２当接部材２３と１個の第１押圧部材３１とによりパラペット２を挟圧した際に、パラペット２を片寄りのない荷重で安定して挟圧することができる。また、前述したように、交差部材３２の両端部に取り付けられている２個の第２押圧部材３３は、パラペット２の内側表面２Ｂと平行をなす面内において、第１押圧部材３１を中心とする対称位置に配置されているため、第２当接部材２３と２個の第２押圧部材３３とによりパラペット２を挟圧した際にも、パラペット２を片寄りのない荷重で安定して挟圧することができる。
【００４７】
また、本実施形態では、交差部材３２の貫通部３２Ａには、雄ねじ棒３０の軸部３０Ｂが貫通しているため、交差部材３２をこの軸部３０Ｂを中心に回転させることができ、このため、２個の第２押圧部材３３がパラペット２の内側表面２Ｂを押圧することは、図３の実線で示されているように、２個の第２押圧部材３３を、パラペット２の長手方向である左右方向に配置しても行えるとともに、図３の二点鎖線で示されているように、２個の第２押圧部材３３’を上下方向に配置しても行えることになり、メンテナンス作業に適切に対応した位置を選択して２個の第２押圧部材３３を配置できるため、メンテナンス作業を容易に行えるようになる。
【００４８】
また、本実施形態に係るスタンション１０が用いられて実施されるメンテナンス作業の作業領域は、図１で示されているパラペット２の内側表面２Ｂから、このパラペット２の外側表面２Ａの側とは反対側の領域であり、この領域は、パラペット２の手前の領域となっている屋上１の床と、パラペット２の内側表面２Ｂとである。
【００４９】
そして、本実施形態では、１個の第１押圧部材３１と２個の第２押圧部材３３が配置されている第２下方延出部１４の真上又は略真上に上方延出部１２が配置され、図１に示されているように、この上方延出部１２に設けられている取付部１６に、パラペット２の長手方向へ延びる長さを有する手摺り用パイプ３が取り付けられた後に、メンテナンス作業が実施されるため、このメンテナンス作業を行う作業者はパラペット２を越えることはなく、このため、屋上１の床とパラペット２の内側表面２Ｂとについての塗装作業等のメンテナンス作業を安全性を確保して実施できることになる。
【００５０】
また、本実施形態では、回転操作部３０Ａで雄ねじ棒３０を回転操作することにより、雄ねじ棒３０を進退させることができる最大の距離は、図２で説明したように横断部１１に複数個が設けられている孔２９により、嵌合部材２５の位置を横断部１１の長さ方向に１段階に粗調整したときの距離より長くなっているため、厚さ寸法が異なる各種のパラペット２を有する建物についてのメンテナンス作業を行う際には、第２下方延出部１４と上方延出部１２とが結合されている嵌合部材２５についての横断部１１の長さ方向位置を、孔２９により段階的に粗調整し、回転操作部３０Ａで雄ねじ棒３０を回転操作することにより、雄ねじ棒３０の位置をパラペット２に向かって微調整することにより、選択的に用いられる１個の第１押圧部材３１と２個の第２押圧部材３３とによって厚さ寸法が異なるパラペット２の内側表面２Ｂを押圧することができる。
【００５１】
なお、以上説明した実施形態での立壁状物は、パラペット２であったが、この立壁状物は、例えば、木造又は鉄骨建物等の梁でもよく、立壁状物がこのような梁である場合には、上方延出部１２の取付部１６となっているクランプ１７を取り外し、上方延出部１２の頂部に取付部１８として設けられている逆Ｕ字状部材２０に親綱を取り付け、この親綱に、作業者が装着する安全帯のフック部材を係止するようにしてもよい。
【産業上の利用可能性】
【００５２】
本発明は、建物等の構築物に設けられるパラペット等の立壁状物に仮設の手摺り用支柱として固定されるスタンションに利用することができる。
【符号の説明】
【００５３】
１  建物の屋上
２  立壁状物であるパラペット
２Ａ  一方の面である外側表面
２Ｂ  他方の面である内側表面
２Ｃ  上面
３  手摺り用部材である手摺り用パイプ
１０  スタンション
１１  横断部
１２  上方延出部
１３  第１下方延出部
１４  第２下方延出部
１６，１８  取付部
２１  第１当接部材
２３  第２当接部材
２５  嵌合部材
３０  棒状部材である雄ねじ棒
３１  第１押圧部材
３２  交差部材
３２Ｃ  屈曲部
３３  第２押圧部材
３４  ナットであるロックナット
３５  ナットである蝶ナット
【図１】
0006752044.tif 000002
【図２】
0006752044.tif 000003
【図３】
0006752044.tif 000004
【図４】
0006752044.tif 000005
【図５】
0006752044.tif 000006
【図６】
0006752044.tif 000007
【図７】
0006752044.tif 000008
【図８】
0006752044.tif 000009